(57)【要約】  【課題】  ＳＩＰプロトコル対応のＩＰ電話システムにおいてパーク保留を実現する。特に、途中からグループに参加したＩＰ電話機のパーク保留表示を速やかに正常にするＩＰ電話システムを提供する。  【解決手段】  パーク保留された通話呼を登録したパーク保留リスト情報ＪL、またはパーク保留解除された通話呼を削除したパーク保留リスト情報ＪLに基づいてパーク保留またはパーク保留解除を制御するパーク保留制御手段８を備えたサーバ装置２と、サーバ装置２から供給されるパーク保留リスト情報ＪLに基づいてパーク保留またはパーク保留解除の表示を制御するパーク保留表示制御手段９ａ〜９ｄを備えたグループを形成する複数のＩＰ電話機３ａ〜３ｄとから構成する。【選択図】  図１
2006041597.tif 000002
【特許請求の範囲】
【請求項１】
グループを形成する複数のＩＰ電話機と、呼接続制御を行うサーバ装置と、前記ＩＰ電話機および前記サーバ装置が接続されるＬＡＮと、からなり、前記ＩＰ電話機から通話呼のパーク保留またはパーク保留解除を実行するＩＰ電話システムであって、
前記サーバ装置は、パーク保留された通話呼を登録したパーク保留リスト情報、またはパーク保留解除された通話呼を削除したパーク保留リスト情報に基づいてパーク保留またはパーク保留解除を制御するパーク保留制御手段を備え、
前記グループを形成する複数のＩＰ電話機は、前記サーバ装置から供給されるパーク保留リスト情報に基づいてパーク保留またはパーク保留解除の表示を制御するパーク保留表示制御手段を備えたことを特徴とするＩＰ電話システム。
【請求項２】
前記パーク保留制御手段は、任意の前記ＩＰ電話機からパーク保留情報またはパーク保留解除情報を受信する毎に、パーク保留リスト情報の全リスト情報をグループの全てのＩＰ電話機に送信することを特徴とする請求項１記載のＩＰ電話システム。
【請求項３】
前記パーク保留制御手段は、一定時間間隔でパーク保留リスト情報の全リスト情報をグループの全てのＩＰ電話機に送信することを特徴とする請求項１記載のＩＰ電話システム。
【請求項４】
前記パーク保留表示制御手段は、パーク保留リスト情報に基づいて複数のパーク保留表示器の点灯または消灯を制御することを特徴とする請求項１記載のＩＰ電話システム。
【請求項５】
前記クループを形成する複数のＩＰ電話機は、それぞれ複数のパーク保留ボタンと対応するパーク保留表示器を備え、パーク保留の前記パーク保留ボタンおよび前記パーク保留表示器の位置関係が全てのＩＰ電話機で一致することを特徴とする請求項１記載のＩＰ電話システム。
【請求項６】
クループを形成する複数のＩＰ電話機のパーク保留またはパーク保留解除を制御するサーバ装置であって、
前記ＩＰ電話機から通信プロトコルに規定されたメッセージに通話呼のパーク保留を示す情報を受信したとき、パーク保留された通話呼をパーク保留リスト情報に登録する登録手段と、通話先のＩＰ電話機に被保留情報を送信するとともに、前記クループを形成する複数のＩＰ電話機に通話呼を登録したパーク保留リスト情報を送信する送信手段と、を備えたことを特徴とするサーバ装置。
【請求項７】
前記ＩＰ電話機から通信プロトコルに規定されたメッセージに通話呼のパーク保留解除を示す情報を受信したとき、パーク保留リスト情報からパーク保留解除となる通話呼を削除する削除手段と、被保留中のＩＰ電話機に被保留解除情報を送信するとともに、前記クループを形成する複数のＩＰ電話機に通話呼を削除したパーク保留リスト情報を送信する送信手段と、を備えたことを特徴とする請求項６記載のサーバ装置。
【請求項８】
前記ＩＰ電話機から通信プロトコルに規定されたメッセージに通話呼のパーク保留を示す情報を受信してから所定時間の経過を計時するタイマ手段と、前記タイマ手段が所定時間を計時してもパーク保留解除を示す情報が受信されない場合、前記削除手段は、パーク保留リスト情報からパーク保留解除となる通話呼を削除し、前記送信手段は、通話呼を削除したパーク保留リスト情報を前記クループを形成する複数のＩＰ電話機に送信することを特徴とする請求項７記載のサーバ装置。
【請求項９】
前記登録手段、前記送信手段、前記削除手段および前記タイマ手段からなるパーク保留制御手段を備えたことを特徴とする請求項６、請求項７または請求項９記載のサーバ装置。
【請求項１０】
サーバ装置から供給されるパーク保留リスト情報に基づいてパーク保留またはパーク保留解除の表示を行うクループを形成する複数のＩＰ電話機であって、
通信プロトコルに規定されたメッセージに通話呼のパーク保留またはパーク保留解除を示す情報を前記サーバ装置に送信する送信手段と、前記サーバ装置から通話呼の登録されたパーク保留リスト情報または通話呼の削除されたパーク保留リスト情報を受信する受信手段と、パーク保留リスト情報に基づいて各々の通話呼に対応させてパーク保留の表示またはパーク保留の表示の消去を行うパーク保留表示手段と、からなるパーク保留表示制御手段を備えたことを特徴とするＩＰ電話機。
【請求項１１】
通話中のＩＰ電話機が通信プロトコルに規定されたメッセージに通話呼のパーク保留を示す情報を設定してサーバ装置に送信するステップと、
パーク保留を示す情報を受信したとき、前記サーバ装置が通話先のＩＰ電話機に被保留情報を送信するステップと、
前記サーバ装置がパーク保留された通話呼をパーク保留リスト情報に登録するステップと、
パーク保留リスト情報をグループを形成する複数のＩＰ電話機に送信するステップと、
を備えたことを特徴とするパーク保留方法。
【請求項１２】
ＩＰ電話機が通信プロトコルに規定されたメッセージにパーク保留解除を示す情報を設定してサーバ装置に送信するステップと、
パーク保留解除を示す情報を受信したとき、前記サーバ装置が被保留中の通話先のＩＰ電話機に被保留解除情報を送信するステップと、
パーク保留リスト情報からパーク保留解除となる通話呼を削除するステップと、
パーク保留リスト情報をグループを形成する複数のＩＰ電話機に送信するステップと、
を備えたことを特徴とするパーク保留方法。
【請求項１３】
通話中のＩＰ電話機からパーク保留を示す情報を受信してから所定時間経過してもパーク保留が解除されなかった場合に、サーバ装置が被保留中の通話先ＩＰ電話機に被保留解除情報を送信するステップと、
パーク保留リスト情報からパーク保留解除となる通話呼を削除するステップと、
パーク保留リスト情報をグループを形成する複数のＩＰ電話機に送信するステップと、
を備えたことを特徴とする請求項１１記載のパーク保留方法。
【請求項１４】
前記サーバ装置からパーク保留リスト情報を受信した前記ＩＰ電話機は、パーク保留リスト情報に基づき、各々の通話呼に対応させてパーク保留の表示またはパーク保留の表示の消去を行うことを特徴とする請求項１１、請求項１２または請求項１３記載のパーク保留方法。
【請求項１５】
前記ＩＰ電話装置と前記サーバ装置との間で送受信される情報は、全てＳＩＰに規定されたメッセージに設定されて送受信されることを特徴とする請求項１１、請求項１２、請求項１３または請求項１４記載のパーク保留方法。
【請求項１６】
グループを形成する複数のＩＰ電話機と、呼接続制御を行うサーバ装置と、前記ＩＰ電話機および前記サーバ装置が接続されるＬＡＮと、からなり、前記ＩＰ電話機から通話呼のパーク保留またはパーク保留解除を実行するパーク保留方法であって、
前記ＩＰ電話機が通信プロトコルに規定されたメッセージに通話呼のパーク保留を表わす情報を登録して前記サーバ装置に送信するステップと、
前記サーバ装置が通話呼のＩＰ電話機に被保留情報を送信するステップと、
前記サーバ装置がパーク保留された通話呼をパーク保留リスト情報に登録し、パーク保留リスト情報をグループを形成する複数のＩＰ電話機に送信するステップと、
パーク保留リスト情報を受信したＩＰ電話機がパーク保留リスト情報に基づいて対応するパーク保留の通話呼を表示するステップと、
サーバ装置がパーク保留が解除されたか否かを判定するステップと、
パーク保留が解除されない場合には、パーク保留を表わす情報を受信してから所定時間が経過したか否かを判定するステップと、
所定時間が経過した場合またはパーク保留が解除された場合には、前記サーバ装置が通話呼のＩＰ電話機に被保留解除情報を送信するステップと、
パーク保留の該当する通話呼をパーク保留リスト情報から削除し、パーク保留リスト情報をグループを形成する複数のＩＰ電話機に送信するステップと、
を備えたことを特徴とするパーク保留方法。
【発明の詳細な説明】
【技術分野】
【０００１】
本発明は、着信して保留した通話呼をグループ内のいずれのＩＰ電話機からでも保留解除して応答可能なＩＰ電話システムおよびパーク保留方法に係り、特にグループを形成するＩＰ電話機の保留状態を適切に行うＩＰ電話システムおよびパーク保留方法に関する。
【背景技術】
【０００２】
従来、交換機に収容される複数の多機能電話機において、着信して応答した通話呼に対して１台の多機能電話機から保留操作を行うと、他の多機能電話機にも保留表示がなされ、保留表示されたいずれの多機能電話機からでも、保留された通話呼に応答できるように構成されたものが知られている。（特許文献１を参照）
【特許文献１】特開平６−１３３０３８号公報
【発明の開示】
【発明が解決しようとする課題】
【０００３】
「特許文献１」に開示された従来の技術は、公衆電話回線網だけを使用するアナログ電話装置（例えば、多機能電話機）にのみ適用することが可能であり、ＩＰ網を用いて通信を行うＩＰ電話機には、適用することができないという課題がある。
【０００４】
この発明はこのような課題を解決するためになされたもので、その目的はＩＰ電話機において、最適なパーク保留を行うＩＰ電話システムおよびパーク保留方法を提供することにある。
【課題を解決するための手段】
【０００５】
前記課題を解決するためこの発明に係るＩＰ電話システムは、グループを形成する複数のＩＰ電話機と、呼接続制御を行うサーバ装置と、ＩＰ電話機およびサーバ装置が接続されるＬＡＮとからなり、ＩＰ電話機から通話呼のパーク保留またはパーク保留解除を実行するＩＰ電話システムであって、サーバ装置は、パーク保留された通話呼を登録したパーク保留リスト情報、またはパーク保留解除された通話呼を削除したパーク保留リスト情報に基づいてパーク保留またはパーク保留解除を制御するパーク保留制御手段を備え、グループを形成する複数のＩＰ電話機は、サーバ装置から供給されるパーク保留リスト情報に基づいてパーク保留またはパーク保留解除の表示を制御するパーク保留表示制御手段を備えたものである。
【発明の効果】
【０００６】
本発明に係るＩＰ電話システム、サーバ装置、ＩＰ電話機およびパーク保留方法によれば、ＩＰ電話機からパーク保留またはパーク保留解除のイベントが発生する毎に、サーバ装置から更新したパーク保留リスト情報を送信し、ＩＰ電話機のパーク保留状態の表示を常に適切に保つことができ、グループのいずれのＩＰ電話機からでもパーク保留し、いずれからでもパーク保留解除して応答できるという電話の取扱いに支障をきたすことなく、業務の効率アップを図ることができる。
【発明を実施するための最良の形態】
【０００７】
本発明に係るＩＰ電話システムは、グループを形成する複数のＩＰ電話機と、呼接続制御を行うサーバ装置と、ＩＰ電話機およびサーバ装置が接続されるＬＡＮとからなり、ＩＰ電話機から通話呼のパーク保留またはパーク保留解除を実行するＩＰ電話システムであって、サーバ装置は、パーク保留された通話呼を登録したパーク保留リスト情報、またはパーク保留解除された通話呼を削除したパーク保留リスト情報に基づいてパーク保留またはパーク保留解除を制御するパーク保留制御手段を備え、グループを形成する複数のＩＰ電話機は、サーバ装置から供給されるパーク保留リスト情報に基づいてパーク保留またはパーク保留解除の表示を制御するパーク保留表示制御手段を備えたことを特徴とする。
【０００８】
この発明に係るＩＰ電話システムにおいて、サーバ装置は、パーク保留された通話呼を登録したパーク保留リスト情報、またはパーク保留解除された通話呼を削除したパーク保留リスト情報に基づいてパーク保留またはパーク保留解除を制御するパーク保留制御手段を備え、グループを形成する複数のＩＰ電話機は、サーバ装置から供給されるパーク保留リスト情報に基づいてパーク保留またはパーク保留解除の表示を制御するパーク保留表示制御手段を備えたので、ＩＰ電話機からパーク保留またはパーク保留解除のイベントが発生する毎に、サーバ装置から更新したパーク保留リスト情報を送信し、ＩＰ電話機のパーク保留状態の表示を常に適切に保つことができる。
【０００９】
また、この発明に係るパーク保留制御手段は、任意のＩＰ電話機からパーク保留情報またはパーク保留解除情報を受信する毎に、パーク保留リスト情報の全リスト情報をグループの全てのＩＰ電話機に送信することを特徴とする。
【００１０】
この発明に係るパーク保留制御手段は、任意のＩＰ電話機からパーク保留情報またはパーク保留解除情報を受信する毎に、パーク保留リスト情報の全リスト情報をグループの全てのＩＰ電話機に送信するので、ＩＰ電話機のパーク保留またはパーク保留解除のイベントが発生する毎に、グループ内全てのＩＰ電話機のパーク保留表示を最新の状態に更新することができる。
【００１１】
さらに、この発明に係るパーク保留制御手段は、一定時間間隔でパーク保留リスト情報の全リスト情報をグループの全てのＩＰ電話機に送信することを特徴とする。
【００１２】
この発明に係るパーク保留制御手段は、一定時間間隔でパーク保留リスト情報の全リスト情報をグループの全てのＩＰ電話機に送信するので、ＩＰ電話機のパーク保留またはパーク保留解除のイベント発生の有無に拘わらず、グループ内全てのＩＰ電話機のパーク保留表示を最新の状態に更新することができる。
【００１３】
また、この発明に係るパーク保留表示制御手段は、パーク保留リスト情報に基づいて複数のパーク保留表示器の点灯または消灯を制御することを特徴とする。
【００１４】
この発明に係るパーク保留表示制御手段は、パーク保留リスト情報に基づいて複数のパーク保留表示器の点灯または消灯を制御するので、グループ内全てのＩＰ電話機のパーク保留表示器に共通したパーク保留表示を行うことができる。
【００１５】
さらに、この発明に係るクループを形成する複数のＩＰ電話機は、それぞれ複数のパーク保留ボタンと対応するパーク保留表示器を備え、パーク保留のパーク保留ボタンおよびパーク保留表示器の位置関係が全てのＩＰ電話機で一致することを特徴とする。
【００１６】
この発明に係るクループを形成する複数のＩＰ電話機は、それぞれ複数のパーク保留ボタンと対応するパーク保留表示器を備え、パーク保留のパーク保留ボタンおよびパーク保留表示器の位置関係が全てのＩＰ電話機で一致するので、グループの全てのＩＰ電話機の利用者は、パーク保留表示器の点灯数からパーク保留の稼動状況を認識することができる。
【００１７】
また、この発明に係るサーバ装置は、クループを形成する複数のＩＰ電話機のパーク保留またはパーク保留解除を制御するサーバ装置であって、ＩＰ電話機から通信プロトコルに規定されたメッセージに通話呼のパーク保留を示す情報を受信したとき、パーク保留された通話呼をパーク保留リスト情報に登録する登録手段と、通話先のＩＰ電話機に被保留情報を送信するとともに、クループを形成する複数のＩＰ電話機に通話呼を登録したパーク保留リスト情報を送信する送信手段とを備えたことを特徴とする。
【００１８】
この発明に係るサーバ装置は、ＩＰ電話機から通信プロトコルに規定されたメッセージに通話呼のパーク保留を示す情報を受信したとき、パーク保留された通話呼をパーク保留リスト情報に登録する登録手段と、通話先のＩＰ電話機に被保留情報を送信するとともに、クループを形成する複数のＩＰ電話機に通話呼を登録したパーク保留リスト情報を送信する送信手段とを備えたので、通話呼のパーク保留を示す情報に基づいて通話呼の通話先ＩＰ電話機（発信元ＩＰ電話機）に被保留情報を送信して保留状態にし、パーク保留された通話呼を登録したパーク保留リスト情報の全リスト情報をグループ全体のＩＰ電話機に送信してパーク保留表示させる制御を実行することができる。
【００１９】
さらに、この発明に係るサーバ装置は、ＩＰ電話機から通信プロトコルに規定されたメッセージに通話呼のパーク保留解除を示す情報を受信したとき、パーク保留リスト情報からパーク保留解除となる通話呼を削除する削除手段と、被保留中のＩＰ電話機に被保留解除情報を送信するとともに、クループを形成する複数のＩＰ電話機に通話呼を削除したパーク保留リスト情報を送信する送信手段とを備えたことを特徴とする。
【００２０】
この発明に係るサーバ装置は、ＩＰ電話機から通信プロトコルに規定されたメッセージに通話呼のパーク保留解除を示す情報を受信したとき、パーク保留リスト情報からパーク保留解除となる通話呼を削除する削除手段と、被保留中のＩＰ電話機に被保留解除情報を送信するとともに、クループを形成する複数のＩＰ電話機に通話呼を削除したパーク保留リスト情報を送信する送信手段とを備えたので、通話呼のパーク保留解除を示す情報に基づいて通話呼の通話先ＩＰ電話機（発信元ＩＰ電話機）に被保留解除情報を送信して保留解除し、パーク保留解除された通話呼を削除したパーク保留リスト情報の全リスト情報をグループ全体のＩＰ電話機に送信してパーク保留表示を消去させる制御を実行することができる。
【００２１】
また、この発明に係るサーバ装置は、ＩＰ電話機から通信プロトコルに規定されたメッセージに通話呼のパーク保留を示す情報を受信してから所定時間の経過を計時するタイマ手段と、タイマ手段が所定時間を計時してもパーク保留解除を示す情報が受信されない場合、削除手段は、パーク保留リスト情報からパーク保留解除となる通話呼を削除し、送信手段は、通話呼を削除したパーク保留リスト情報をクループを形成する複数のＩＰ電話機に送信することを特徴とする。
【００２２】
この発明に係るサーバ装置は、ＩＰ電話機から通信プロトコルに規定されたメッセージに通話呼のパーク保留を示す情報を受信してから所定時間の経過を計時するタイマ手段と、タイマ手段が所定時間を計時してもパーク保留解除を示す情報が受信されない場合、削除手段は、パーク保留リスト情報からパーク保留解除となる通話呼を削除し、送信手段は、通話呼を削除したパーク保留リスト情報をクループを形成する複数のＩＰ電話機に送信するので、通話呼のパーク保留を示す情報に基づいて通話呼の通話先ＩＰ電話機（発信元ＩＰ電話機）に被保留情報を送信して保留状態にし、パーク保留された通話呼を登録したパーク保留リスト情報の全リスト情報をグループ全体のＩＰ電話機に送信してパーク保留表示させてから所定時間が経過しても、通話呼のパーク保留解除を示す情報が受信できない場合には、パーク保留された通話呼を削除したパーク保留リスト情報をグループの全ＩＰ電話機に送信してパーク保留表示を消去させる制御を実行することができる。
【００２３】
さらに、この発明に係るサーバ装置は、登録手段、送信手段、削除手段およびタイマ手段からなるパーク保留制御手段を備えたことを特徴とする。
【００２４】
この発明に係るサーバ装置は、登録手段、送信手段、削除手段およびタイマ手段からなるパーク保留制御手段を備えたので、グループ全体のＩＰ電話機のパーク保留表示またはパーク保留解除の表示のためのパーク保留リスト情報を更新して提供することができる。
【００２５】
また、この発明に係るＩＰ電話機は、サーバ装置から供給されるパーク保留リスト情報に基づいてパーク保留またはパーク保留解除の表示を行うクループを形成する複数のＩＰ電話機であって、通信プロトコルに規定されたメッセージに通話呼のパーク保留またはパーク保留解除を示す情報をサーバ装置に送信する送信手段と、サーバ装置から通話呼の登録されたパーク保留リスト情報または通話呼の削除されたパーク保留リスト情報を受信する受信手段と、パーク保留リスト情報に基づいて各々の通話呼に対応させてパーク保留の表示またはパーク保留の表示の消去を行うパーク保留表示手段とからなるパーク保留表示制御手段を備えたことを特徴とする。
【００２６】
この発明に係るＩＰ電話機は、通信プロトコルに規定されたメッセージに通話呼のパーク保留またはパーク保留解除を示す情報をサーバ装置に送信する送信手段と、サーバ装置から通話呼の登録されたパーク保留リスト情報または通話呼の削除されたパーク保留リスト情報を受信する受信手段と、パーク保留リスト情報に基づいて各々の通話呼に対応させてパーク保留の表示またはパーク保留の表示の消去を行うパーク保留表示手段とからなるパーク保留表示制御手段を備えたので、通話呼のパーク保留またはパーク保留解除を示す情報の２つのイベントを発生してサーバ装置に送信し、このイベントに伴いサーバ装置からのパーク保留リスト情報を受信してパーク保留表示することができる。
【００２７】
さらに、この発明に係るパーク保留方法は、通話中のＩＰ電話機が通信プロトコルに規定されたメッセージに通話呼のパーク保留を示す情報を設定してサーバ装置に送信するステップ（Ｐ１）と、パーク保留を示す情報を受信したとき、サーバ装置が通話先のＩＰ電話機に被保留情報を送信するステップ（Ｐ２）と、サーバ装置がパーク保留された通話呼をパーク保留リスト情報に登録するステップ（Ｐ３）と、パーク保留リスト情報をグループを形成する複数のＩＰ電話機に送信するステップ（Ｐ４）とを備えたことを特徴とする。
【００２８】
この発明に係るパーク保留方法は、通話中のＩＰ電話機が通信プロトコルに規定されたメッセージに通話呼のパーク保留を示す情報を設定してサーバ装置に送信するステップ（Ｐ１）と、パーク保留を示す情報を受信したとき、サーバ装置が通話先のＩＰ電話機に被保留情報を送信するステップ（Ｐ２）と、サーバ装置がパーク保留された通話呼をパーク保留リスト情報に登録するステップ（Ｐ３）と、パーク保留リスト情報をグループを形成する複数のＩＰ電話機に送信するステップ（Ｐ４）とを備えたので、通話呼のパーク保留を示す情報のイベントがあると、パーク保留リスト情報を更新し、このパーク保留リスト情報に基づいてパーク保留表示を更新することができる。
【００２９】
また、この発明に係るパーク保留方法は、ＩＰ電話機が通信プロトコルに規定されたメッセージに通話呼のパーク保留解除を示す情報を設定してサーバ装置に送信するステップ（Ｐ５）と、パーク保留解除を示す情報を受信したとき、サーバ装置が被保留中の通話先のＩＰ電話機に被保留解除情報を送信するステップ（Ｐ６）と、パーク保留リスト情報からパーク保留解除となる通話呼を削除するステップ（Ｐ７）と、パーク保留リスト情報をグループを形成する複数のＩＰ電話機に送信するステップ（Ｐ８）とを備えたことを特徴とする。
【００３０】
この発明に係るパーク保留方法は、ＩＰ電話機が通信プロトコルに規定されたメッセージに通話呼のパーク保留解除を示す情報を設定してサーバ装置に送信するステップ（Ｐ５）と、パーク保留解除を示す情報を受信したとき、サーバ装置が被保留中の通話先のＩＰ電話機に被保留解除情報を送信するステップ（Ｐ６）と、パーク保留リスト情報からパーク保留解除となる通話呼を削除するステップ（Ｐ７）と、パーク保留リスト情報をグループを形成する複数のＩＰ電話機に送信するステップ（Ｐ８）とを備えたので、通話呼のパーク保留解除を示す情報があると、パーク保留リスト情報を更新し、このパーク保留リスト情報に基づいてパーク保留表示を更新することができる。
【００３１】
さらに、この発明に係るパーク保留方法は、通話中のＩＰ電話機からパーク保留を示す情報を受信してから所定時間経過してもパーク保留が解除されなかった場合に、サーバ装置が被保留中の通話先ＩＰ電話機に被保留解除情報を送信するステップ（Ｐ９）と、パーク保留リスト情報からパーク保留解除となる通話呼を削除するステップ（Ｐ１０）と、パーク保留リスト情報をグループを形成する複数のＩＰ電話機に送信するステップ（Ｐ１１）とを備えたことを特徴とする。
【００３２】
この発明に係るパーク保留方法は、通話中のＩＰ電話機からパーク保留を示す情報を受信してから所定時間経過してもパーク保留が解除されなかった場合に、サーバ装置が被保留中の通話先ＩＰ電話機に被保留解除情報を送信するステップ（Ｐ９）と、パーク保留リスト情報からパーク保留解除となる通話呼を削除するステップ（Ｐ１０）と、パーク保留リスト情報をグループを形成する複数のＩＰ電話機に送信するステップ（Ｐ１１）とを備えたので、パーク保留を示す情報を受信してから所定時間経過してもパーク保留が解除されないと、該当する通話呼をパーク保留リスト情報から削除し、パーク保留リスト情報を更新することができる。
【００３３】
また、この発明に係るパーク保留方法において、サーバ装置からパーク保留リスト情報を受信したＩＰ電話機は、パーク保留リスト情報に基づき、各々の通話呼に対応させてパーク保留の表示またはパーク保留の表示の消去を行うことを特徴とする。
【００３４】
この発明に係るパーク保留方法において、サーバ装置からパーク保留リスト情報を受信したＩＰ電話機は、パーク保留リスト情報に基づき、各々の通話呼に対応させてパーク保留の表示またはパーク保留の表示の消去を行うので、単純な方法でパーク保留を実現することができる。
【００３５】
さらに、この発明に係るパーク保留方法は、ＩＰ電話装置とサーバ装置との間で送受信される情報は、全てＳＩＰ（Session Initiation Protocol）に規定されたメッセージに設定されて送受信されることを特徴とする。
【００３６】
この発明に係るパーク保留方法は、ＩＰ電話装置とサーバ装置との間で送受信される情報は、全てＳＩＰ（Session Initiation Protocol）に規定されたメッセージに設定されて送受信されるので、ＳＩＰを利用してパーク保留を単純に実現することができる。
【００３７】
また、この発明に係るパーク保留方法は、グループを形成する複数のＩＰ電話機と、呼接続制御を行うサーバ装置と、ＩＰ電話機およびサーバ装置が接続されるＬＡＮとからなり、ＩＰ電話機から通話呼のパーク保留またはパーク保留解除を実行するパーク保留方法であって、ＩＰ電話機が通信プロトコルに規定されたメッセージに通話呼のパーク保留を表わす情報を登録してサーバ装置に送信するステップ（Ｓ１）と、サーバ装置が通話呼のＩＰ電話機に被保留情報を送信するステップ（Ｓ２）と、サーバ装置がパーク保留された通話呼をパーク保留リスト情報に登録し、パーク保留リスト情報をグループを形成する複数のＩＰ電話機に送信するステップ（Ｓ３）と、パーク保留リスト情報を受信したＩＰ電話機がパーク保留リスト情報に基づいて対応するパーク保留の通話呼を表示するステップ（Ｓ４）と、サーバ装置がパーク保留が解除されたか否かを判定するステップ（Ｓ５）と、パーク保留が解除されない場合には、パーク保留を表わす情報を受信してから所定時間が経過したか否かを判定するステップ（Ｓ６）と、所定時間が経過した場合またはパーク保留が解除された場合には、サーバ装置が通話呼のＩＰ電話機に被保留解除情報を送信するステップ（Ｓ７）と、パーク保留の該当する通話呼をパーク保留リスト情報から削除し、パーク保留リスト情報をグループを形成する複数のＩＰ電話機に送信するステップ（Ｓ８）とを備えたことを特徴とする。
【００３８】
この発明に係るパーク保留方法は、ＩＰ電話機が通信プロトコルに規定されたメッセージに通話呼のパーク保留を表わす情報を登録してサーバ装置に送信するステップ（Ｓ１）と、サーバ装置が通話呼のＩＰ電話機に被保留情報を送信するステップ（Ｓ２）と、サーバ装置がパーク保留された通話呼をパーク保留リスト情報に登録し、パーク保留リスト情報をグループを形成する複数のＩＰ電話機に送信するステップ（Ｓ３）と、パーク保留リスト情報を受信したＩＰ電話機がパーク保留リスト情報に基づいて対応するパーク保留の通話呼を表示するステップ（Ｓ４）と、サーバ装置がパーク保留が解除されたか否かを判定するステップ（Ｓ５）と、パーク保留が解除されない場合には、パーク保留を表わす情報を受信してから所定時間が経過したか否かを判定するステップ（Ｓ６）と、所定時間が経過した場合またはパーク保留が解除された場合には、サーバ装置が通話呼のＩＰ電話機に被保留解除情報を送信するステップ（Ｓ７）と、パーク保留の該当する通話呼をパーク保留リスト情報から削除し、パーク保留リスト情報をグループを形成する複数のＩＰ電話機に送信するステップ（Ｓ８）とを備えたので、サーバ装置から更新したパーク保留リスト情報を送信し、ＩＰ電話機のパーク保留状態の表示を常に適切に保つため、途中からグループに加わったＩＰ電話機も電源を投入してから速やかに正常なパーク保留状態を表示することができる。
【００３９】
以下、この発明の実施の形態を添付図面に基づいて説明する。なお、本発明は、ＩＰ電話機から通信プロトコルに規定されたメッセージに通話呼のパーク保留を示す情報が送信されたとき（パーク保留）、または通信プロトコルに規定されたメッセージに通話呼のパーク保留解除を示す情報が送信されたとき（パーク保留解除）のイベント発生時に、サーバ装置からパーク保留リスト情報がグループの全てのＩＰ電話機に送信されると、ＩＰ電話機がパーク保留リスト情報に基づいてパーク保留の表示を最新の表示に更新するものである。
【００４０】
また、本発明は、サーバ装置から一定時間間隔でパーク保留リスト情報の全リスト情報が送信されると、グループの全てのＩＰ電話機は、パーク保留リスト情報に基づいてパーク保留の表示を最新の表示に更新するものである。
【００４１】
図１はこの発明に係るＩＰ電話システムの一実施の形態の要部ブロック構成図である。図１において、ＩＰ電話システム１は、呼接続制御を行うサーバ装置２と、例えば企業内の同一部門内でグループＡを形成する複数のＩＰ電話機３ａ〜３ｄと、ＩＰ電話機３ａ〜３ｄおよびサーバ装置２がＬＡＮケーブルで接続されるＬＡＮ７とから構成する。なお、ＩＰ電話機４、ＩＰ電話機５およびＩＰ電話機６は、他部門のグループを形成しない独立したＩＰ電話機であり、本実施の形態では、グループＡのＩＰ電話機３ａ〜３ｄにダイヤル発信して通話し、この通話呼がＩＰ電話機３ａ〜３ｄによってパーク保留またはパーク保留解除されるＩＰ電話機とする。
【００４２】
グループＡのＩＰ電話機３ａ〜３ｄの番号（例えば、端末番号）は、それぞれ「２０１」、「２０２」、「２０３」および「２０４」とし、ＩＰ電話機４、ＩＰ電話機５およびＩＰ電話機６の番号（例えば、端末番号）は、それぞれ「３００」、「４００」および「５００」とする。
【００４３】
サーバ装置２は、パーク保留された通話呼を登録したパーク保留リスト情報ＪL、またはパーク保留解除された通話呼を削除したパーク保留リスト情報ＪLに基づいてパーク保留またはパーク保留解除を制御するパーク保留制御手段８を備える。
【００４４】
グループＡを形成する複数のＩＰ電話機３ａ〜３ｄは、サーバ装置２から供給されるパーク保留リスト情報ＪLに基づいてパーク保留またはパーク保留解除の表示を制御するそれぞれパーク保留表示制御手段９ａ〜９ｄを備える。
【００４５】
ＩＰ電話機４からグループＡのＩＰ電話機３ａに着信があり、ＩＰ電話機３ａが応答して通話中に、ＩＰ電話機４からの通話呼をパーク保留する場合、ＩＰ電話機３ａは、通信プロトコルに規定されたメッセージとして通話呼のパーク保留を示す情報（図８に示すパーク保留情報ＪH）をＬＡＮ７を介してサーバ装置２に送信する。
【００４６】
サーバ装置２は、パーク保留情報ＪHを受信すると、パーク保留情報ＪHに含まれる通話呼を図７のパークテーブルに登録し、このパークテーブルを基に作成した保留リスト情報ＪL（図９参照）をＬＡＮ７を介してグループＡのＩＰ電話機３ａ〜３ｄに送信する。
【００４７】
ＩＰ電話機３ａ〜３ｄは、サーバ装置２からパーク保留リスト情報ＪLを受信すると、パーク保留リスト情報ＪLに基づいてＩＰ電話機４からの通話呼のパーク保留を表わすパーク保留表示（パーク保留表示器の点灯）を行う。
【００４８】
また、サーバ装置２は、パーク保留情報ＪHを受信すると、これを通話先のＩＰ電話機４に送信することにより、ＩＰ電話機４を保留状態とする。
【００４９】
パーク保留を解除する場合には、ＩＰ電話機３ａ〜３ｄのいずれか（例えば、ＩＰ電話機３ａ）から通信プロトコルに規定されたメッセージに通話呼のパーク保留解除を示す情報（パーク保留解除情報ＪK）をＬＡＮ７を介してサーバ装置２に送信する。
【００５０】
サーバ装置２は、パーク保留解除情報ＪKを受信すると、パーク保留解除情報ＪKに含まれる通話呼をパークテーブルから削除し、このパークテーブルを基に作成した保留リスト情報ＪLをＬＡＮ７を介してグループＡのＩＰ電話機３ａ〜３ｄに送信する。
【００５１】
ＩＰ電話機３ａ〜３ｄは、サーバ装置２から通話呼を削除したパーク保留リスト情報ＪLを受信すると、パーク保留リスト情報ＪLに基づいてＩＰ電話機４からの通話呼の保留解除を表わすパーク保留表示（パーク保留表示器の消灯）を行う。
【００５２】
また、サーバ装置２は、パーク保留解除情報ＪK（図１０参照）を受信すると、これを通話先のＩＰ電話機４に送信することにより、ＩＰ電話機４を保留解除状態とする。
【００５３】
図２はこの発明に係るサーバ装置の一実施の形態の要部ブロック構成図である。図２において、サーバ装置２は、ＬＡＮ制御部１０、ＶｏＩＰプロトコル制御部１１、ＶｏＩＰ接続制御部１２およびサーバメモリ１３を備える。なお、ＶｏＩＰ接続制御部１２およびサーバメモリ１３とでパーク保留制御手段８を構成する。
【００５４】
ＬＡＮ制御部１０は、ＬＡＮ７とサーバ装置２のインタフェースを取り、サーバ装置２とＩＰ電話機３ａ〜３ｄ、ＩＰ電話機４、ＩＰ電話機５およびＩＰ電話機６との間の通信を制御し、ＬＡＮ７を介してＩＰパケットを送受信する。
【００５５】
ＶｏＩＰプロトコル制御部１１は、通信データをＳＩＰ（Session Initiation Protocol）プロトコルに適合させるためのプロトコル変換処理を行う。
【００５６】
ＶｏＩＰ接続制御部１２は、ＩＰ電話機３ａ〜３ｄ、ＩＰ電話機４、ＩＰ電話機５、ＩＰ電話機６、およびＩＰ電話機以外の電話機との間の呼制御を行う。
【００５７】
サーバメモリ１３は、ＥＥＰＲＯＭやフラッシュメモリ等の書き換え可能なメモリで構成し、ＶｏＩＰ接続制御部１２が呼制御を行う各種データ、制御動作の順序を規定するシーケンスデータ、パーク保留リスト情報ＪL等のデータを格納する。
【００５８】
図７はこの発明に係るサーバメモリの一実施の形態のパークテーブルを示す図である。図７において、パークテーブルは、パーク番号、パーク状態、保留操作端末および被保留端末のリスト情報、呼の識別子である通話呼（コールＩＤ）を格納する。
【００５９】
パーク１には、被保留端末として端末番号「３００」であるＩＰ電話機４（図１参照）がパーク状態「保留中」であり、保留操作端末「２０１」がグループＡのＩＰ電話機３ａ（端末番号「２０１」）であることを表わす。
【００６０】
同様に、パーク３には、被保留端末として端末番号「４００」であるＩＰ電話機５がパーク状態「保留中」であり、保留操作端末「２０２」がグループＡのＩＰ電話機３ｂ（端末番号「２０２」）であることを表わす。
【００６１】
パークテーブルは、ＩＰ電話機３ａ〜３ｄからパーク保留情報ＪHまたはパーク保留解除情報ＪKが送信されてくる毎に、該当する通話呼が登録または削除され、常に最新のパークテーブルから作成されたパーク保留リスト情報ＪLがグループＡのＩＰ電話機３ａ〜３ｄに送信されるので、ＩＰ電話機３ａ〜３ｄは、常に最新のパーク保留状態を表示することができる。
【００６２】
ＶｏＩＰ接続制御部１２およびサーバメモリ１３で構成するパーク保留制御手段８は、ＩＰ電話機３ａ〜３ｄの任意のＩＰ電話機からパーク保留情報ＪHまたはパーク保留解除情報ＪKを受信する毎に、パークテーブルを更新し、これを基に作成されたパーク保留リスト情報ＪLをグループＡの全てのＩＰ電話機３ａ〜３ｄに送信する。
【００６３】
ＩＰ電話機３ａ〜３ｄからパーク保留の操作をしてパーク保留情報ＪHを送信すると、パーク保留制御手段８は、サーバメモリ１３に格納されているパークテーブル（例えば、図７に示すパーク１参照）に通話呼（被保留端末「３００」）を登録し、パーク保留リスト情報ＪLの全リスト（パーク１〜パーク１０）をＩＰ電話機３ａ〜３ｄに送信する。
【００６４】
一方、ＩＰ電話機３ａ〜３ｄからパーク保留解除の操作をしてパーク保留解除情報ＪKを送信すると、パーク保留制御手段８は、サーバメモリ１３に格納されているパークテーブルから該当する通話呼（例えば、被保留端末「３００」）を削除し、パーク保留リスト情報ＪLの全リスト（パーク１〜パーク１０）をＩＰ電話機３ａ〜３ｄに送信する。
【００６５】
ＩＰ電話機３ａ〜３ｄからのパーク保留の操作によるパーク保留情報ＪHの送信、またはＩＰ電話機３ａ〜３ｄからのパーク保留解除の操作によるパーク保留解除情報ＪKの送信というイベント発生毎に、パーク保留制御手段８は、パークテーブルを更新し、更新した内容で作成したパーク保留リスト情報ＪLを送信してＩＰ電話機３ａ〜３ｄのパーク保留表示を常に最新のパーク保留状態にする。
【００６６】
このように、この発明に係るパーク保留制御手段８は、任意のＩＰ電話機３ａ〜３ｄからパーク保留情報ＪHまたはパーク保留解除情報ＪKを受信する毎に、パーク保留リスト情報ＪLをグループＡの全てのＩＰ電話機３ａ〜３ｄに送信するので、ＩＰ電話機３ａ〜３ｄのパーク保留またはパーク保留解除のイベントが発生する毎に、グループＡ内全てのＩＰ電話機３ａ〜３ｄのパーク保留表示を最新の状態に更新することができ、途中からグループに加わったＩＰ電話機も電源を投入してから速やかに正常なパーク保留状態を表示することができる。
【００６７】
また、パーク保留制御手段８は、一定時間間隔でパーク保留リスト情報ＪLをグループＡの全てのＩＰ電話機３ａ〜３ｄに送信する。この場合には、パーク保留制御手段８は、パーク保留またはパーク保留解除のイベントの発生に拘わらず、一定時間（例えば、１０秒）間隔で最新のパーク保留リスト情報ＪLを送信してＩＰ電話機３ａ〜３ｄのパーク保留表示を常に最新のパーク保留状態にする。
【００６８】
このように、この発明に係るパーク保留制御手段８は、一定時間間隔でパーク保留リスト情報ＪLをグループＡの全てのＩＰ電話機３ａ〜３ｄに送信するので、ＩＰ電話機３ａ〜３ｄのパーク保留またはパーク保留解除のイベント発生の有無に拘わらず、グループＡ内全てのＩＰ電話機３ａ〜３ｄのパーク保留表示を最新の状態に更新することができ、途中からグループに加わったＩＰ電話機も電源を投入してから一定時間以内に正常なパーク保留状態を表示することができる。
【００６９】
サーバ装置２は、ＩＰ電話機３ａ〜３ｄから通信プロトコルに規定されたメッセージに通話呼のパーク保留を示す情報（パーク保留情報ＪH）を受信したとき、サーバメモリ１３に記憶されているパークテーブルを読み出し、読み出したパークテーブルにパーク保留された通話呼を登録する登録手段を備える。登録手段で通話呼を登録したテーブルは、再度、サーバメモリ１３に格納する。
【００７０】
また、サーバ装置２は、通話呼のパーク保留を示す情報（パーク保留情報ＪH）を受信したとき、これを通話先のＩＰ電話機（ＩＰ電話機４）に送信するとともに、サーバメモリ１３に格納（登録）したパークテーブルを読み出し、読み出したパークテーブルを基に作成したパーク保留リスト情報ＪLをＩＰ電話機３ａ〜３ｄに送信する送信手段を備える。
【００７１】
なお、パークテーブルにパーク保留された通話呼を登録する登録手段、パーク保留リスト情報ＪLをＩＰ電話機３ａ〜３ｄに送信する送信手段は、ＶｏＩＰ接続制御部１２で構成し、パーク保留制御手段８に包含する。
【００７２】
このように、この発明に係るサーバ装置２は、ＩＰ電話機（ＩＰ電話機３ａ〜３ｄ）から通信プロトコルに規定されたメッセージに通話呼のパーク保留を示す情報（パーク保留情報ＪH）を受信したとき、パーク保留された通話呼をパークテーブルに登録する登録手段と、通話先のＩＰ電話機（ＩＰ電話機４）に被パーク保留情報ＪHを送信するとともに、クループを形成する複数のＩＰ電話機３ａ〜３ｄに通話呼を登録したパーク保留リスト情報ＪLを送信する送信手段とを備えたので、通話呼のパーク保留を示す情報に基づいて通話呼の通話先ＩＰ電話機（ＩＰ電話機４）を保留状態にし、パーク保留された通話呼を登録したパーク保留リスト情報ＪLをグループＡ全体のＩＰ電話機３ａ〜３ｄに送信してパーク保留表示させる制御を実行することができ、通話呼のパーク保留を示す情報の受信というイベントで、グループの全ＩＰ電話機３ａ〜３ｄのパーク保留表示を更新することができる。
【００７３】
サーバ装置２は、ＩＰ電話機３ａ〜３ｄから通信プロトコルに規定されたメッセージに通話呼のパーク保留解除を示す情報（パーク解除情報ＪK）を受信したとき、パークテーブルからパーク保留解除となる通話呼を削除する削除手段を備える。
【００７４】
また、サーバ装置２は、被保留中のＩＰ電話機（ＩＰ電話機４）に被パーク保留解除情報ＪKを送信するとともに、クループＡを形成する複数のＩＰ電話機３ａ〜３ｄに通話呼を削除したパーク保留リスト情報ＪLを送信する送信手段を備える。
【００７５】
なお、パークテーブルからパーク保留解除となる通話呼を削除する削除手段およびパーク保留リスト情報ＪLを送信する送信手段は、ＶｏＩＰ接続制御部１２で構成し、パーク保留制御手段８に包含する。
【００７６】
このように、この発明に係るサーバ装置２は、ＩＰ電話機３ａ〜３ｄから通信プロトコルに規定されたメッセージに通話呼のパーク保留解除を示す情報（パーク保留解除情報ＪK）を受信したとき、パークテーブルからパーク保留解除となる通話呼を削除する削除手段と、被保留中のＩＰ電話機（ＩＰ電話機４）にパーク被保留解除情報ＪKを送信するとともに、クループＡを形成する複数のＩＰ電話機３ａ〜３ｄに通話呼を削除したパーク保留リスト情報ＪLを送信する送信手段とを備えたので、通話呼のパーク保留解除を示す情報（パーク保留解除情報ＪK）に基づいて通話呼の通話先ＩＰ電話機（ＩＰ電話機４）を保留解除し、パーク保留解除された通話呼を削除したパーク保留リスト情報ＪLをグループＡ全体のＩＰ電話機３ａ〜３ｄに送信してパーク保留表示を消去させる制御を実行することができ、通話呼のパーク保留解除を示す情報の受信というイベントで、グループＡの全ＩＰ電話機３ａ〜３ｄのパーク保留表示を更新することができる。
【００７７】
さらに、サーバ装置２は、ＩＰ電話機３ａ〜３ｄから通信プロトコルに規定されたメッセージに通話呼のパーク保留を示す情報（パーク保留情報ＪH）を受信してから所定時間の経過を計時するタイマ手段と、タイマ手段が所定時間を計時してもパーク保留解除を示す情報が受信されない場合、削除手段は、パークテーブルからパーク保留解除となる通話呼を削除し、送信手段は、通話呼を削除したパークテーブルを基に作成されるパーク保留リスト情報ＪLをクループを形成する複数のＩＰ電話機３ａ〜３ｄに送信する送信手段を備える。
【００７８】
なお、所定時間の経過を計時するタイマ手段、削除手段および送信手段は、ＶｏＩＰ接続制御部１２で構成し、パーク保留制御手段８に包含する。
【００７９】
このように、この発明に係るサーバ装置２は、ＩＰ電話機３ａ〜３ｄから通信プロトコルに規定されたメッセージに通話呼のパーク保留を示す情報（パーク保留情報ＪH）を受信してから所定時間の経過を計時するタイマ手段と、タイマ手段が所定時間を計時してもパーク保留解除を示す情報（パーク保留解除情報ＪK）が受信されない場合、削除手段は、パークテーブルからパーク保留解除となる通話呼を削除し、送信手段は、パークテーブルを基に作成されたパーク保留リスト情報ＪLをクループＡを形成する複数のＩＰ電話機３ａ〜３ｄに送信するので、通話呼のパーク保留を示す情報に基づいて通話呼の通話先ＩＰ電話機（ＩＰ電話機４）を保留状態にし、パーク保留された通話呼を登録したパーク保留リスト情報ＪLをグループＡ全体のＩＰ電話機３ａ〜３ｄに送信してパーク保留表示させてから所定時間が経過しても、通話呼のパーク保留解除を示す情報（パーク保留解除情報ＪK）が受信できない場合には、パークテーブルからパーク保留された通話呼を削除し、パークテーブルを基に作成されたパーク保留リスト情報ＪLをグループＡの全ＩＰ電話機３ａ〜３ｄに送信してパーク保留表示を消去させる制御を実行することができ、通話呼のパーク保留解除を示す情報の受信というイベントがなくても、所定時間のタイムオーバでグループＡの全ＩＰ電話機３ａ〜３ｄのパーク保留表示を更新することができる。
【００８０】
また、この発明に係るサーバ装置２は、登録手段、送信手段、削除手段およびタイマ手段からなるパーク保留制御手段８を備えたので、グループＡ全体のＩＰ電話機３ａ〜３ｄのパーク保留表示またはパーク保留解除の表示のためのパーク保留リスト情報ＪLを更新して提供することができる。
【００８１】
図３はこの発明に係るＩＰ電話機の一実施の形態の要部ブロック構成図である。図３において、ＩＰ電話機３ａ〜３ｄは、それぞれアプリケーション制御部１４、ＶｏＩＰプロトコル制御部１５、ＬＡＮ制御部１６、音声制御部１７、音声入出力部１８、表示制御部１９、表示器２０、キー制御部２１、キー入力部２２、電話機メモリ２３を備える。
【００８２】
なお、アプリケーション制御部１４、表示制御部１９、表示器２０、キー制御部２１、キー入力部２２、電話機メモリ２３は、それぞれパーク保留表示制御手段９ａ〜９ｄを構成する。
【００８３】
ＶｏＩＰプロトコル制御部１５は、通信データをＳＩＰ（Session Initiation Protocol）プロトコルに適合させるためのプロトコル変換処理を行う。
【００８４】
ＬＡＮ制御部１６は、ＬＡＮ７を介してサーバ装置２との間の通信を制御する。
【００８５】
アプリケーション制御部１４は、通信先であるサーバ装置２との間の呼制御を行い、パーク保留のパーク保留操作（パーク保留ボタンの押下）により、通信プロトコルに規定されたメッセージとして通話呼のパーク保留を示す情報であるパーク保留情報ＪHを出力する。
【００８６】
また、アプリケーション制御部１４は、パーク保留解除のパーク保留解除操作（パーク保留ボタンの押下）により、通信プロトコルに規定されたメッセージとして通話呼のパーク保留解除を示す情報であるパーク保留解除情報ＪKを出力する。
【００８７】
さらに、アプリケーション制御部１４は、サーバ装置２からパーク保留リスト情報ＪLを受信すると、パーク保留リスト情報ＪLに基づいて表示制御部１９を制御し、表示器２０（パーク保留表示器）のパーク表示を点灯または消灯させる。
【００８８】
また、アプリケーション制御部１４は、テンキー、パーク保留ボタンや各種機能キーで構成するキー入力部２２から入力されるキー情報をキー制御部２１で制御された制御情報に応じて各種機能動作を制御する。
【００８９】
さらに、アプリケーション制御部１４は、電話機メモリ２３に格納されている各種データに基づいてＩＰ電話機３ａ〜３ｄの動作を制御する。
【００９０】
また、アプリケーション制御部１４は、音声制御部１７を介してハンドセットで構成する音声入出力部１８から受話音声を出力したり、送話信号を出力する制御を行う。
【００９１】
電話機メモリ２３は、ＥＥＰＲＰＭやフラッシュメモリ等の書替え可能なメモリで構成される。
【００９２】
また、電話機メモリ２３は、アプリケーション制御部１４の制御によりサーバ装置２から送信されてくるパーク保留リスト情報ＪLから必要な部分を格納し、表示制御部１９に供給してパーク保留やパーク保留解除の表示がなされる。
【００９３】
パーク保留表示制御手段９ａ〜９ｄは、サーバ装置２から送信されてくるパーク保留リスト情報ＪLに基づいて複数のパーク保留表示器の点灯または消灯を制御する。
【００９４】
図６はこの発明に係るＩＰ電話機の一実施の形態のパーク表示器の構成図である。図６において、パーク保留表示器は、パーク保留ボタンとボタンが一体化されたパークボタン表示器を備える。
【００９５】
パークボタン表示器は、例えばパーク１からパーク１０までのＬＥＤ素子と対応する押しボタンから構成し、ＩＰ電話機３ａ〜３ｄのいずれかのパーク保留ボタン（例えば、パーク１）を操作すると、サーバ装置２からパーク保留リスト情報ＪLが送信されてきて、ＩＰ電話機３ａ〜３ｄのパーク保留表示制御手段９ａ〜９ｄの制御により、ＩＰ電話機３ａ〜３ｄのパークボタン表示器のパーク１が点灯する。
【００９６】
ＩＰ電話機３ａ〜３ｄは、それぞれ図６に示す複数のパーク保留ボタンと対応するパーク保留表示器を備えるので、ＩＰ電話機３ａ〜３ｄの何れからパーク保留またはパーク保留解除の操作をしてもパーク保留表示の点灯または消灯が図６に示すパーク１からパーク１０で同じ位置になる。
【００９７】
このように、この発明に係るクループを形成する複数のＩＰ電話機３ａ〜３ｄは、それぞれ複数のパーク保留ボタンと対応するパーク保留表示器を備え、パーク保留のパーク保留ボタンおよびパーク保留表示器の位置関係が全てのＩＰ電話機３ａ〜３ｄで一致するので、グループＡ全てのＩＰ電話機３ａ〜３ｄの利用者は、パーク保留表示器の点灯数からパーク保留の稼動状況を認識することができ、通話呼のパーク保留またはパーク保留解除の操作を正確に実行することができる。
【００９８】
また、この発明に係るパーク保留表示制御手段９ａ〜９ｄは、パーク保留リスト情報ＪLに基づいて複数のパーク保留表示器の点灯または消灯を制御するので、グループＡ内全てのＩＰ電話機３ａ〜３ｄのパーク保留表示器に共通したパーク保留表示を行うことができ、どのＩＰ電話機からでもグループ全てのパーク保留状態を認識していずれのＩＰ電話機からでも該当する通話呼のパーク保留またはパーク保留解除を実行することができる。
【００９９】
ＩＰ電話機３ａ〜３ｄは、通信プロトコルに規定されたメッセージに通話呼のパーク保留（パーク保留情報ＪH）またはパーク保留解除（パーク保留解除情報ＪK）を示す情報をサーバ装置２に送信する送信手段と、サーバ装置２から通話呼の登録されたパーク保留リスト情報ＪLまたは通話呼の削除されたパーク保留リスト情報ＪLを受信する受信手段と、パーク保留リスト情報ＪLに基づいて各々の通話呼に対応させてパーク保留の表示またはパーク保留の表示の消去を行うパーク保留表示手段とからなるパーク保留表示制御手段９ａ〜９ｄを備える。
【０１００】
このように、この発明に係るＩＰ電話機３ａ〜３ｄは、通信プロトコルに規定されたメッセージに通話呼のパーク保留またはパーク保留解除を示す情報（パーク保留情報ＪHまたはパーク保留解除情報ＪK）をサーバ装置２に送信する送信手段と、サーバ装置２から通話呼の登録されたパーク保留リスト情報ＪLまたは通話呼の削除されたパーク保留リスト情報ＪLを受信する受信手段と、パーク保留リスト情報ＪLに基づいて各々の通話呼に対応させてパーク保留の表示またはパーク保留の表示の消去を行うパーク保留表示手段とからなるパーク保留表示制御手段９ａ〜９ｄを備えたので、通話呼のパーク保留またはパーク保留解除を示す情報の２つのイベントを発生してサーバ装置２に送信し、このイベントに伴いサーバ装置２からのパーク保留リスト情報ＪLを受信してパーク保留表示することができ、常に最新のパーク保留状態を表示することができる。
【０１０１】
図４はこの発明に係るＩＰ電話システムの一実施の形態の動作シーケンス図である。図４において、ＩＰ電話機３ａとＩＰ電話機４が通話中であり、グループＡのＩＰ電話機３ａ〜３ｄがＬＡＮ７に接続されている。ただし、ＩＰ電話機３ａ〜３ｃは電源がＯＮ状態にあるが、ＩＰ電話機３ｄは電源ＯＦＦ状態にあり、途中から電源ＯＮ状態になるものとする。
【０１０２】
ＩＰ電話機３ａがパーク１を押下（パーク操作）すると、ＩＰ電話機３ａからサーバ装置２に図８に示すＳＩＰメッセージであるパーク保留情報ＪHが送信される。パーク保留情報ＪHは、ＳＩＰのＩＮＶＩＴＥメッセージであり、３桁目の「From:」に、このメッセージの送信元であるＩＰ電話機３ａのＩＰアドレス「201@sip-server.ne.jp」を含み、４行目の「To:」に、被保留者であるＩＰ電話機４のＩＰアドレス「300@sip-server.ne.jp」を含む。なお、「２０１」はＩＰ電話機３ａの内線番号、「３００」はＩＰ電話機４の内線番号である。さらに、パーク保留情報ＪHは、通話呼を識別する情報「Call-ID:44444444-55555555-66666666@192.168.1.124」およびＩＰ電話機３ａの操作者が押下したパークボタンを示すパーク番号「P-N-Position:1,1」を含む。サーバ装置２は、ＩＮＶＩＴＥメッセージ中の「P-N-Position:1,1」から、発呼ではなくパーク保留情報であることが認識できる。なお、「P-N-Position:1,1」の「1,1」は先の数字がグループ番号、後の番号がパーク番号（この例では、グループＡにグループ番号１が割り当てられている）を示す。続いて、サーバ装置２は、ＩＰ電話機４に、上述のパーク保留情報ＪHを転送する。これを受けて、ＩＰ電話機４は、自身が保留されたことを知り、保留音を発生して保留状態となる。
【０１０３】
サーバ装置２は、図７に示すグループＡのパークテーブルのパーク番号１に、保留された通話呼「44444444-55555555-66666666」ならびに保留操作端末であるＩＰ電話機３ａの内線番号「２０１」、被保留端末であるＩＰ電話機４の内線番号「３００」、パーク状態として「保留中」を登録し、ＩＰ電話機３ａ〜３ｃおよびＩＰ電話機３ｄに通知するためのパーク保留リスト情報ＪL（図９）を送信する。なお、パーク保留リスト情報ＪLの保留リストはパークテーブルを基に作成される。
【０１０４】
パーク保留リスト情報ＪLは、ＮＯＴＩＦＹメッセージであり、メッセージ中に保留リストを含む。保留リストには、パーク番号「P-N-Hold:1,1」（この例では、グループ１のパーク番号１）、通話呼を識別する情報「P-N-Cid:44444444-55555555-66666666@192.168.1.124」を含む。ここでは、グループＡのパーク１だけが保留になっている状態を示している。なお、ＩＰ電話機３ｂ、３ｃ、３ｄへのパーク保留リスト情報ＪLも、図９とほぼ同じ内容で、「To:」に設定される送信先のＩＰアドレスがそれぞれ異なる程度である。
【０１０５】
パーク保留リスト情報ＪLを受信してＩＰ電話機３ａ〜３ｃは、パーク保留リスト情報ＪLに従ってパーク１を点灯する。一方、ＩＰ電話機３ｄは、この時点では電源ＯＦＦ状態にあるので、パーク保留リスト情報ＪLを受信することができなく、その後にＩＰ電話機３ｄが電源ＯＮ状態（ＩＰ電話機３ｄがグループＡに参加）になってもパーク１は点灯しない。
【０１０６】
続いて、ＩＰ電話機５とＩＰ電話機３ｂが通話の状態から、ＩＰ電話機３ｂがパーク２を押下（新しいイベント発生）してパーク保留を行うと、サーバ装置２からＩＰ電話機３ａ〜３ｃおよびＩＰ電話機３ｄにパーク保留リスト情報ＪLを送信する。
【０１０７】
パーク保留リスト情報ＪLを受信してＩＰ電話機３ａ〜３ｃは、パーク保留リスト情報ＪLに従ってパーク１およびパーク２を点灯する。一方、パーク保留リスト情報ＪLを受信してＩＰ電話機３ｄもパーク保留リスト情報ＪLに従ってパーク１およびパーク２を点灯する。なお、ＩＰ電話機３ｄのパーク１は、パーク保留リスト情報ＪLが全リストであるため、消灯していたパーク１が点灯に遷移する。この時点で、ＩＰ電話機３ｄのパーク保留状態の表示が正常になる。
【０１０８】
次に、ＩＰ電話機３ｄがパーク１を押下（パーク応答）してパーク保留解除を行うと、ＩＮＶＩＴＥメッセージであるパーク保留解情報ＪK（図１０参照）がサーバ装置２に送信される。パーク保留解情報ＪKには、３行目の「From:」にパーク応答を行ったＩＰ電話機３ｄのＩＰアドレスが記述されるＩＰ電話機４のＩＰアドレスに加えて「tag=99999999-00000000」があることで発呼のためのＩＮＶＩＴＥではなく、保留解除のためのＩＮＶＩＴＥであることがサーバ装置２にわかる。保留解除される通話呼は５桁目の「Call-ID:44444444-55555555-66666666」から認識できる。サーバ装置２は、上述のパーク保留解除情報ＪKをＩＰ電話機４に送信し、ＩＰ電話機４が保留解除となる。次に、サーバ装置２は、図７のパークテーブルから保留解除される「44444444-55555555-66666666」の通話呼を検索し、該当するパーク１のパーク状態を「保留中」から「空き」に変更するとともに、保留操作端末、被保留端末、通話呼を削除する。
【０１０９】
サーバ装置２から再度、図１１に示すパーク保留リスト情報ＪLがＩＰ電話機３ａ〜３ｃおよびＩＰ電話機３ｄに送信され、ＩＰ電話機３ａ〜３ｄのパーク１が消灯（パーク２は点灯のまま）になる。
【０１１０】
このように、ＩＰ電話機３ｄが途中からグループＡに参加しても、１度のイベントが発生すると、パーク保留状態の表示が正常になる。
【０１１１】
図５はこの発明に係るＩＰ電話機のパーク表示状態の例とこのＩＰ電話機が受信したパーク保留リスト情報の中の保留リストの関係を示す図である。図５において、パーク保留表示器はパーク１〜パーク３の３つとする。
【０１１２】
ＩＰ電話機が電源ＯＦＦの状態で、パーク１「保留中」、パーク２「空き」およびパーク３「空き」のパーク保留リスト情報を受信しても、パーク１〜パーク３の表示は点灯しない。
【０１１３】
ＩＰ電話機が電源ＯＮの状態になった後で、パーク保留リスト情報として、パーク１「保留中」、パーク２「保留中」およびパーク３「空き」を受信した時に初めて、パーク１およびパーク２が点灯する。
【０１１４】
ＩＰ電話機は、電源ＯＦＦの状態の時以外にも、パケットロスによりパーク保留リスト情報を受信できない場合がある。その場合にはパーク１、パーク２、パーク３の表示状態が更新されずに前回のままの状態（この例では、パーク１、パーク２が点灯したまま）となってしまう。
【０１１５】
しかし、この場合にも、次のパーク保留リストとして、パーク１「空き」、パーク２「空き」およびパーク３「保留中」を受信すると、パーク１およびパーク２が消灯、パーク３が点灯して正常なパーク保留状態を表示することができる。
【０１１６】
以上説明したように、この発明に係るＩＰ電話システム１において、サーバ装置２は、パーク保留された通話呼を登録したパーク保留リスト情報ＪL、またはパーク保留解除された通話呼を削除したパーク保留リスト情報ＪLに基づいてパーク保留またはパーク保留解除を制御するパーク保留制御手段８を備え、グループＡを形成する複数のＩＰ電話機３ａ〜３ｄは、サーバ装置２から供給されるパーク保留リスト情報ＪLに基づいてパーク保留またはパーク保留解除の表示を制御するパーク保留表示制御手段９ａ〜９ｄを備えたので、ＩＰ電話機３ａ〜３ｄからパーク保留またはパーク保留解除のイベントが発生する毎に、サーバ装置２から更新したパーク保留リスト情報ＪLを送信し、ＩＰ電話機３ａ〜３ｄのパーク保留状態の表示を常に適切に保つことができ、グループＡのいずれのＩＰ電話機３ａ〜３ｄからでもパーク保留し、いずれからでもパーク保留解除して応答できるという電話の取扱いに支障をきたすことなく、業務の効率アップを図ることができる。
【０１１７】
なお、本実施の形態では、グループＡのＩＰ電話機３ａ〜３ｄと通話する通話呼の電話機を同じＬＡＮ７に接続されたＩＰ電話機４〜ＩＰ電話機６で説明したが、ＬＡＮ７が接続されるＩＰ網を中継してＰＳＴＮ網（公衆回線）に接続された加入電話機であってもよい。
【０１１８】
次に、この発明に係るパーク保留方法について説明する。図１２はこの発明に係るパーク保留方法の一実施の形態要部動作フロー図である。なお、本図は、パーク保留時の動作フロー図を表す。図１２において、ステップＰ１では、通話中のＩＰ電話機が通信プロトコルに規定されたメッセージに通話呼のパーク保留を示す情報を設定してサーバ装置に送信する。
【０１１９】
ステップＰ２では、パーク保留を示す情報を受信したとき、サーバ装置が通話先のＩＰ電話機にパーク保留を示す情報を送信する。
【０１２０】
ステップＰ３では、サーバ装置がパーク保留された通話呼をパークテーブルに登録する。
【０１２１】
ステップＰ４では、パークテーブルを基に作成したパーク保留リスト情報をグループを形成する複数のＩＰ電話機に送信する。
【０１２２】
このように、この発明に係るパーク保留方法は、通話中のＩＰ電話機が通信プロトコルに規定されたメッセージに通話呼のパーク保留を示す情報を設定してサーバ装置に送信するステップＰ１と、パーク保留を示す情報を受信したとき、サーバ装置が通話先のＩＰ電話機にパーク保留を示す情報を送信するステップＰ２と、サーバ装置がパーク保留された通話呼をパークテーブルに登録するステップＰ３と、パークテーブルを基に作成されたパーク保留リスト情報をグループを形成する複数のＩＰ電話機に送信するステップＰ４とを備えたので、通話呼のパーク保留を示す情報のイベントがあると、パーク保留リスト情報を更新し、このパーク保留リスト情報に基づいてパーク保留表示を更新することができ、通話呼のパーク保留を示す情報のイベントが発生する毎に、常にパーク保留表示を最新の状態で表示することができる。
【０１２３】
図１３はこの発明に係るパーク保留方法の別実施の形態要部動作フロー図である。なお、本図は、パーク保留解除時の動作フロー図を表す。図１３において、ステップＰ５では、ＩＰ電話機が通信プロトコルに規定されたメッセージに通話呼のパーク保留解除を示す情報を設定してサーバ装置に送信する。
【０１２４】
ステップＰ６では、パーク保留解除を示す情報を受信したとき、サーバ装置が被保留中の通話先のＩＰ電話機に、これを送信する。
【０１２５】
ステップＰ７では、パークテーブルからパーク保留解除となる通話呼を削除する。
【０１２６】
ステップＰ８では、パークテーブルを基に作成されたパーク保留リスト情報をグループを形成する複数のＩＰ電話機に送信する。
【０１２７】
このように、この発明に係るパーク保留方法は、ＩＰ電話機が通信プロトコルに規定されたメッセージに通話呼のパーク保留解除を示す情報を設定してサーバ装置に送信するステップＰ５と、パーク保留解除を示す情報を受信したとき、サーバ装置が被保留中の通話先のＩＰ電話機にパーク保留解除を示す情報を送信するステップＰ６と、パークテーブルからパーク保留解除となる通話呼を削除するステップＰ７と、パークテーブルを基に作成されたパーク保留リスト情報をグループを形成する複数のＩＰ電話機に送信するステップＰ８とを備えたので、通話呼のパーク保留解除を示す情報があると、パーク保留リスト情報を再送し、このパーク保留リスト情報に基づいてパーク保留表示を更新することができ、通話呼のパーク保留解除を示す情報のイベントが発生する毎に、常にパーク保留表示を最新の状態で表示することができる。
【０１２８】
図１４はこの発明に係るパーク保留方法の別実施の形態要部動作フロー図である。なお、本図は、パーク保留してから所定時間が経過したときの保留解除の動作フロー図を表す。図１４において、ステップＰ９では、通話中のＩＰ電話機からパーク保留を示す情報を受信してから所定時間経過してもパーク保留が解除されなかった場合に、サーバ装置が被保留中の通話先ＩＰ電話機にパーク保留解除情報を送信する。
【０１２９】
ステップＰ１０では、パークテーブルからパーク保留解除となる通話呼を削除する。
【０１３０】
ステップＰ１１では、パークテーブルを基に作成されたパーク保留リスト情報をグループを形成する複数のＩＰ電話機に送信する。
【０１３１】
このように、この発明に係るパーク保留方法は、通話中のＩＰ電話機からパーク保留を示す情報を受信してから所定時間経過してもパーク保留が解除されなかった場合に、サーバ装置が被保留中の通話先ＩＰ電話機にパーク保留解除情報を送信するステップＰ９と、パークテーブルからパーク保留解除となる通話呼を削除するステップＰ１０と、パークテーブルを基に作成されたパーク保留リスト情報をグループを形成する複数のＩＰ電話機に送信するステップＰ１１とを備えたので、パーク保留を示す情報を受信してから所定時間経過してもパーク保留が解除されないと、該当する通話呼をパークテーブルから削除し、パーク保留リスト情報を再送することができ、通話呼のパーク保留解除を示す情報のイベントが発生しなくても、タイムオーバで最新の状態をパーク保留表示することができる。
【０１３２】
図１５はこの発明に係るパーク保留方法の別実施の形態要部動作フロー図である。なお、本図は、パーク保留からパーク保留解除までの動作フロー図を表す。図１５において、ステップＳ１では、ＩＰ電話機が通信プロトコルに規定されたメッセージに通話呼のパーク保留を表わす情報を登録してサーバ装置に送信する。
【０１３３】
ステップＳ２では、サーバ装置が通話呼のＩＰ電話機にパーク保留を表わす情報を送信する。
【０１３４】
ステップＳ３では、サーバ装置がパーク保留された通話呼をパークテーブルに登録し、パークテーブルを基に作成されたパーク保留リスト情報グループを形成する複数のＩＰ電話機に送信する。
【０１３５】
ステップＳ４では、パーク保留リスト情報を受信したＩＰ電話機がパーク保留リスト情報に基づいて対応するパーク保留の通話呼を表示する。
【０１３６】
ステップＳ５では、サーバ装置がパーク保留が解除されたか否かを判定する。
【０１３７】
ステップＳ６では、パーク保留が解除されない場合には、パーク保留を表わす情報を受信してから所定時間が経過したか否かを判定する。
【０１３８】
ステップＳ７では、所定時間が経過した場合またはパーク保留が解除された場合には、サーバ装置が通話呼のＩＰ電話機にパーク保留解除情報を送信する。
【０１３９】
ステップＳ８では、パーク保留の該当する通話呼をパーク保留リスト情報から削除し、パークテーブルを基に作成されたパーク保留リスト情報をグループを形成する複数のＩＰ電話機に送信する。
【０１４０】
このように、この発明に係るパーク保留方法は、ＩＰ電話機が通信プロトコルに規定されたメッセージに通話呼のパーク保留を表わす情報を登録してサーバ装置に送信するステップＳ１と、サーバ装置が通話呼のＩＰ電話機にパーク保留を表わす情報を送信するステップＳ２と、サーバ装置がパーク保留された通話呼をパークテーブルに登録し、パークテーブルを基に作成されたパーク保留リスト情報グループを形成する複数のＩＰ電話機に送信するステップＳ３と、パーク保留リスト情報を受信したＩＰ電話機がパーク保留リスト情報に基づいて対応するパーク保留の通話呼を表示するステップＳ４と、サーバ装置がパーク保留が解除されたか否かを判定するステップＳ５と、パーク保留が解除されない場合には、パーク保留を表わす情報を受信してから所定時間が経過したか否かを判定するステップＳ６と、所定時間が経過した場合またはパーク保留が解除された場合には、サーバ装置が通話呼のＩＰ電話機にパーク保留解除情報を送信するステップＳ７と、パーク保留の該当する通話呼をパークテーブルから削除し、パークテーブルを基に作成されたパーク保留リスト情報をグループを形成する複数のＩＰ電話機に送信するステップＳ８とを備えたので、サーバ装置から更新したパーク保留リスト情報を送信し、ＩＰ電話機のパーク保留状態の表示を常に適切に保つため、途中からグループに加わったＩＰ電話機も電源を投入してから速やかに正常なパーク保留状態を表示することができ、グループのいずれのＩＰ電話機からでもパーク保留し、いずれからでもパーク保留解除して応答できるという電話の取扱いに支障をきたすことなく、業務の効率アップを図ることができる。
【産業上の利用可能性】
【０１４１】
本発明に係るＩＰ電話システムは、ＩＰ電話機においてパーク保留を実現したものであり、特に、途中からグループに参加したＩＰ電話機のパーク保留表示を速やかに正常にすることができるものであり、グループ化されたＩＰ電話機のパーク保留を行うあらゆるＩＰ電話システムに適用することができる。
【図面の簡単な説明】
【０１４２】
【図１】この発明に係るＩＰ電話システムの一実施の形態の要部ブロック構成図
【図２】この発明に係るサーバ装置の一実施の形態の要部ブロック構成図
【図３】この発明に係るＩＰ電話機の一実施の形態の要部ブロック構成図
【図４】この発明に係るＩＰ電話システムの一実施の形態の動作シーケンス図
【図５】この発明に係るＩＰ電話機システムの一実施の形態のパーク保留リストとパーク表示の関係図
【図６】この発明に係るＩＰ電話機の一実施の形態のパーク表示器の構成図
【図７】この発明に係るサーバメモリの一実施の形態のパークテーブル図
【図８】この発明に係るＩＰ電話システムの一実施の形態のＳＩＰメッセージの記述例を示す図
【図９】この発明に係るＩＰ電話システムの一実施の形態のＳＩＰメッセージの記述例を示す図
【図１０】この発明に係るＩＰ電話システムの一実施の形態のＳＩＰメッセージの記述例を示す図
【図１１】この発明に係るＩＰ電話システムの一実施の形態のＳＩＰメッセージの記述例を示す図
【図１２】この発明に係るパーク保留方法の一実施の形態要部動作フロー図
【図１３】この発明に係るパーク保留方法の別実施の形態要部動作フロー図
【図１４】この発明に係るパーク保留方法の別実施の形態要部動作フロー図
【図１５】この発明に係るパーク保留方法の別実施の形態要部動作フロー図
【符号の説明】
【０１４３】
１    ＩＰ電話システム
２    サーバ装置
３ａ〜３ｄ    ＩＰ電話機
４，５，６    ＩＰ電話機
７    ＬＡＮ
８    パーク保留制御手段
９ａ〜９ｄ    パーク保留表示制御手段
１０，１６    ＬＡＮ制御部
１１，１５    ＶｏＩＰプロトコル制御部
１２    ＶｏＩＰ接続制御部
１３    サーバメモリ
１４    アプリケーション制御部
１７    音声制御部
１８    音声入出力部
１９    表示制御部
２０    表示器
２１    キー制御部
２２    キー入力部
２３    電話機メモリ
ＪH    パーク保留情報
ＪK    パーク保留解除情報
ＪL    パーク保留リスト情報
ＳH    被保留情報
ＳK    被保留解除情報
Ａ    グループ
【図１】
2006041597.tif 000003
【図２】
2006041597.tif 000004
【図３】
2006041597.tif 000005
【図４】
2006041597.tif 000006
【図５】
2006041597.tif 000007
【図６】
2006041597.tif 000008
【図７】
2006041597.tif 000009
【図８】
2006041597.tif 000010
【図９】
2006041597.tif 000011
【図１０】
2006041597.tif 000012
【図１１】
2006041597.tif 000013
【図１２】
2006041597.tif 000014
【図１３】
2006041597.tif 000015
【図１４】
2006041597.tif 000016
【図１５】
2006041597.tif 000017